(57)【要約】【課題】  作業足場を形成する左右の縦支柱間にパネルを組付けする作業の際に、多大な手間を要せず、また、多大な時間を要せずに、所定の作業を実行できるようにする。【解決手段】  左右の縦支柱１間に担持手段６を介して上記パネル２を保持し、上枠２２の上端に設けた揺れ止め具３を縦支柱１に着脱自在に係合してパネル２の揺れを防止しているパネルの取付け装置において、  揺れ止め具３が上枠２２の上面端部にスライド自在に取付けたスライド板３１と、スライド板３１の先端に設けた二股状の係止片３２と、スライド板３１に軸方向に沿って形成した長孔３３と、スライド板３１に軸方向に沿って形成した一対の先端側係止孔３７及び後端側係止孔３８と、上枠２２から起立して長孔３３内に挿入したガイドピン３４と、上枠２２に設けたバネ３９と、バネ３９に取付けられて先端側係止孔３７又は後端側係止孔３８に選択的に差し込まれるロックピン３６とで構成されている。【選択図】  図７
2019011604.tif 000002
【特許請求の範囲】
【請求項１】
パネル（２）が板状のパネル本体（２４）と、上記パネル本体（２４）の左右両側に設けた側枠（２１）（２１）と、上記パネル本体（２４）の上下にそれぞれ設けた上枠（２２）及び下枠（２３）とで構成され、
左右の縦支柱（１）（１）間に担持手段（６）を介して上記パネル（２）を保持し、上記上枠（２２）の上端に設けた揺れ止め具（３）を上記縦支柱（１）（１）に着脱自在に係合して上記パネル（２）の揺れを防止しているパネルの取付け装置において、
上記揺れ止め具（３）が上記上枠（２２）の上面端部にスライド自在に取付けたスライド板（３１）と、上記スライド板（３１）の先端に設けた二股状の係止片（３２）と、上記スライド板（３１）に軸方向に沿って形成した長孔（３３）と、同じく上記スライド板（３１）に軸方向に沿って形成した一対の先端側係止孔（３７）及び後端側係止孔（３８）と、上記上枠（２２）から起立して上記長孔（３３）内に挿入したガイドピン（３４）と、上記上枠（２２）に設けたバネ（３９）と、上記バネ（３９）に取付けられて上記先端側係止孔（３７）又は後端側係止孔（３８）に選択的に差し込まれるロックピン（３６）とで構成され、
上記スライド板（３１）が上記縦支柱（１）方向にスライドした時上記ロックピン（３６）が上記先端側係止孔（３７）に嵌合する共に上記係止片（３２）が上記縦支柱（１）の外周に係合し、上記スライド板（３１）が上記縦支柱（１）から離れる方向にスライドしたとき上記ロックピン（３６）が上記後端側係止孔（３８）に嵌合することを特徴とするパネルの取付け装置。
【請求項２】
上記上枠（２２）と、上記下枠（２３）と、上記側枠（２１）とがそれぞれ中空な筒体で構成され、上記上枠（２２）の上壁（２２ｂ）の下面に板バネからなる上記バネ（３９）の基端が固定され、上記バネ（３９）が常時上記ロックピン（３６）を上方に附勢している請求項１に記載のパネルの取付け装置。
【請求項３】
上記スライド板（３１）の上面に差し込み軸（３５）が起立され、上記下枠（２３）に上記差し込み軸（３５）に対応する位置に軸挿通孔（２３ａ）が形成されている請求項１又は請求項２のいずれか一項に記載のパネルの取付け装置。
【請求項４】
上記上枠（２２）の上面に板状の上部シール部材（２２ａ）を積層させ、上記側枠（２１）の側面に中空な筒状シール部材（２１ａ）を積層させ、上記上部シール部材（２２ａ）に上記スライド板（３１）を嵌合させるガイド溝（４１）を形成している請求項１から請求項３のいずれか一項に記載のパネルの取付け装置。
【発明の詳細な説明】
【技術分野】
【０００１】
本発明は、建築、構築用足場や防風用壁に配置されるパネルの取付け装置に関し、特に、枠組み足場や単管足場における縦支柱間にパネルを組付けるのに適するパネルの取付け装置の改良に関する。
【背景技術】
【０００２】
建築物や構築物の建築、構築、解体、又は修理等の作業の際には、建築物や構築物を囲むように枠組足場や単管足場などからなる作業足場を設けるのが一般的であるが、さらに近年では、作業足場の外側面に防音、防塵、防雨、防風などの目的でパネルを設けている。
【０００３】
そして、作業足場の外側面にパネルを設ける場合の取付けについては、これまでに種々の提案があるが、その中で、たとえば、特許文献１に開示されているように、鬼クランプからなる連結具を利用しているものがある。
【０００４】
この鬼クランプは、作業足場を形成する縦支柱、つまり、作業足場の外側面で左右となる縦支柱に締結するクランプ部と、このクランプ部にＬ字状に形成されて作業足場の外側面より外に突出する挿し込み軸とを備え、対して、パネルは、上下端に鬼クランプが備える挿し込み軸を挿通させる軸挿通孔を備える。
【０００５】
それゆえ、この特許文献１に開示のパネルの取付け装置によれば、縦支柱にクランプ部で締結した鬼クランプの挿し込み軸をパネルの下端に形成の軸挿通孔に挿通することで、パネルの下端を縦支柱に連結すると共に、この下端の縦支柱への連結で言わば仮止め状態にあるパネルの上方で縦支柱に別途締結される鬼クランプの挿し込み軸を仮止め状態のパネルの上端に形成の軸挿通孔に挿通することで、仮止め状態のパネルの上端を縦支柱に固定的に連結し得ることになり、上記の作業の繰り返しで、パネルを作業足場の外側面に上方向および左右方向に組付けることになる。
【先行技術文献】
【特許文献】
【０００６】
【特許文献１】特開２０１３−０８３０６１号公報
【発明の概要】
【発明が解決しようとする課題】
【０００７】
しかしながら、上記した特許文献１に開示の提案にあっては、作業足場の外側面にパネルを組付けするのについて、基本的に問題がある訳ではないが、パネルの組付け作業の実際を勘案すると、次のような不具合の改善が望まれている。
【０００８】
すなわち、上記した特許文献１に開示の提案にあって、縦支柱に締結される鬼クランプは、左右となるパネルを縦支柱の外方で同時に連結させる構成、つまり、一対の挿し込み軸を縦支柱の外方に鬼の角のように突設させる構成としているから、以下のような不具合を招く。
【０００９】
たとえば、下端が鬼クランプで縦支柱に連結され、したがって、縦支柱の外方で仮止め状態に起立する左右のパネルの上端を鬼クランプで連結する際には、人手によるなどして左右のパネルが内外に、つまり、縦支柱に向けてあるいは縦支柱の外方に向けて振れない状態にしてから、これまた仮止め状態に縦支柱に締結されている鬼クランプを下降させて左右の挿し込み軸を左右のパネルの上端に形成の軸挿通孔に挿通する作業が要求される。
【００１０】
つまり、左右となる縦支柱間に一のパネルを組付けするのについて、一の縦支柱を挟むような態勢で隣接する左右のパネルを縦支柱にそれぞれ連結する作業をも併せて要請されることになり、一人の作業員によるだけでは、パネルの縦支柱間への組付け作業を容易に実行できない不具合がある。
【００１１】
のみならず、パネルの組付け作業に際しては、縦支柱に上下に、つまり、パネルを上下から挟むように鬼クランプを締結しなければならず、作業に多大な手間を要し、また、作業に多大な時間を要すことになる危惧がある。
【００１２】
本発明は、上記した現状を鑑みて創案されたものであって、その目的とするところは、作業足場を形成する左右の縦支柱間にパネルを組付けする作業の際に、多大な手間を要せず、また、多大な時間を要せずに、所定の作業を実行できるパネルの取付け装置を提供することである。
【課題を解決するための手段】
【００１３】
上記した目的を達成するために、本発明の手段は、パネルが板状のパネル本体と、上記パネル本体の左右両側に設けた側枠と、上記パネル本体の上下にそれぞれ設けた上枠及び下枠とで構成され、
左右の縦支柱間に担持手段を介して一つ又は複数の上記パネルを上下方向に重ねて配置し、上記上枠の上端に設けた揺れ止め具を上記縦支柱に着脱自在に係合して上記パネルの揺れを防止しているパネルの取付け装置において、
上記揺れ止め具が上記上枠の上面端部にスライド自在に取付けたスライド板と、上記スライド板の先端に設けた二股状の係止片と、上記スライド板に軸方向に沿って形成した長孔と、同じく上記スライド板に軸方向に沿って形成した一対の先端側係止孔及び後端側係止孔と、上記上枠から起立して上記長孔内に挿入したガイドピンと、上記上枠に設けたバネと、上記バネに取付けられて上記先端側係止孔又は後端側係止孔に選択的に差し込まれるロックピンとで構成され、
上記スライド板が上記縦支柱方向にスライドした時上記ロックピンが上記先端側係止孔に嵌合する共に上記係止片が上記縦支柱の外周に係合し、上記スライド板が上記縦支柱から離れる方向にスライドしたとき上記ロックピンが上記後端側係止孔に嵌合することを特徴とするものである。
【発明の効果】
【００１４】
本発明によれば、次の効果を達成できる。
【００１５】
上枠の上端に設けた揺れ止め具を支柱に係合するようにしているからパネルの揺れが防止される。
【００１６】
特に、スライド板が縦支柱方向にスライドした時ロックピンが先端側係止孔に嵌合するからパネルに振動等の外力が作用してもスライド板の後退が阻止され、その結果、スライド板先端の二股状係止片が縦支柱の外周に係合したまま保持されるのでパネルの上端が縦支柱に支えられていて揺れが防止され、またパネルが縦支柱から外れて地上に落下するのを防止できる。
【００１７】
また、スライド板を縦支柱から離れる方向にスライドさせてロックピンを後端側係止孔に嵌合することで二股状の係止片が縦支柱から外れた状態を維持でき、パネルの取外しが容易となる。
【００１８】
即ち、スライド板のスライド操作が簡単であるから縦支柱間にパネルを組付けする作業の際に、多大な手間を要せず、また、多大な時間を要せずに、所定の作業を実行できる。
【００１９】
しかも、パネルを保持させる揺れ止め具の構造がシンプルであるからパネルの取付け装置全体の加工性、組付け性、経済性が優れている。
【図面の簡単な説明】
【００２０】
【図１】本発明の一実施形態のパネルの取付け装置を利用してパネルを取付けた枠組み足場の略斜視図である。
【図２】最下段部分にパネルを組付けした状態を示す枠組み足場の側面図である。
【図３】縦支柱に取付けたパネルの正面図とその一部拡大正面図である。
【図４】（Ａ）は縦支柱に取付けたパネルの平面図とその一部拡大平面図、  （Ｂ）は縦支柱に取付けたパネルの底面図とその一部拡大底面図である。
【図５】振れ止め具の構成部材を示す図であり、  （Ａ）は、スライド板と差し込み軸の平面図、  （Ｂ）は、スライド板と差し込み軸と正面図、  （Ｃ）は、バネとロックピンの平面図、  （Ｄ）は、バネとロックピンの正面図である。
【図６】担持手段を示す図であり、  （Ａ）は、平面図、  （Ｂ）は、正面図、  （Ｃ）は、左側面図である。
【図７】揺れ止め具を組み付けたパネルを示す図であり、  （Ａ）は、スライド板を縦支柱から外した状態のパネルの一部切欠き斜視図であり、  （Ｂ）は、スライド板を縦支柱に係合した状態のパネルの一部切欠き斜視図である。
【図８】パネルに取付けた揺れ止め具を示す図であり、  （Ａ）は、スライド板を縦支柱から後退させた状態の縦断拡大正面図であり、  （Ｂ）は、スライド板を縦支柱側にスライドさせた状態の縦断拡大正面図である。
【発明を実施するための形態】
【００２１】
以下、本発明の実施の形態を図に基づいて説明する。
【００２２】
本発明のパネルの取付け装置は、例えば、図１および図２に示す枠組足場からなる作業足場Ｓの左右の縦支柱１間にパネル２を組付けるのに適するものである。
パネル２は図３に示すように板状のパネル本体２４と、パネル本体２４の左右両側に設けた側枠２１、２１と、パネル本体２４の上下にそれぞれ設けた上枠２２及び下枠２３とで構成されている。
【００２３】
上記のパネル２は図１、図２に示すように作業足場Ｓにおける左右の縦支柱１、１間に複数上下方向に重ねて配置され、さらに、これらのパネル２は上枠２２の上端に設けた揺れ止め具３を上記縦支柱１、１に着脱自在に係合して揺れが防止され、外力が作用しても落下しないようになっている。
【００２４】
この場合、パネル１は一つでも使用可能であり、図示のように複数でも良いが、いずれの場合も担持手段６を介して縦支柱１、１に保持される。
【００２５】
揺れ止め具３は、図7、図８に示すように、上記パネル３における上枠２２の上面端部にスライド自在に取付けたスライド板３１と、スライド板３１の先端に設けた二股状の係止片３２と、スライド板３１に軸方向に沿って形成した長孔３３と、同じく上記スライド板３１に軸方向に沿って形成した一対の先端側係止孔３７及び後端側係止孔３８と、上枠２２から起立して長孔３３内に挿入したガイドピン３４と、上枠２２に設けたバネ３９と、このバネ３９に取付けられて先端側係止孔３７又は後端側係止孔３８に選択的に差し込まれるロックピン３６とで構成されている。
そして、スライド板３１が縦支柱１方向にスライドした時ロックピン３６が後端側係止孔３８に嵌合する共に係止片３２が縦支柱１の外周に係合してパネル３の揺れを防止し、振動等の外力が作用してもパネル３が縦支柱１から外れて落下するのが防止されるようになっている。
他方、スライド板３１が縦支柱１から後退して離れる方向にスライドしたときロックピン３６が先端側係止孔３７に嵌合し、その結果揺れ止め具３の縦支柱1に対する係合状態が解消され、パネル２を取り外すことが出来るようになっている。
以下詳細に説明する。
縦支柱１は、図１に示すように、建築物又は構築物（図示せず）等の外に、たとえば、構築物を取り囲むように設けられる作業足場Ｓの一部を形成している。
【００２６】
この作業足場Ｓの外側面に組付けされるパネル２は、板状に形成されて、建築物の建築、構築物の構築、これらの解体、修理の作業の際に発生する騒音、塵、雨、風を抑制するもので所謂防音、防塵、防雨、防風用に使用されるものである。
【００２７】
図1に示す作業足場Ｓは、枠体たる建枠Ｓ１およびこの建枠Ｓ１に架け渡される足場板Ｓ２を利用して組み上げられる枠組足場であるが、図示しないが、単管と称されるパイプをクランプと称される専用の連結具で縦横に連結して形成される単管足場であっても良い。
【００２８】
また、本発明のパネルの取付け装置は、道路、公園、住宅等の周辺に立て掛け防音、防風用のパネル、或いは部外者の侵入を防止する壁用のパネルにも適用できる。
【００２９】
枠組足場Ｓの縦支柱１は、建枠Ｓ１を形成する縦方向の支柱であり、建枠Ｓ１自体は、公知のように、構築物等の外面に向けて前後に配置した一対の縦支柱１、１の上端を横架材で連結して門形に形成されている。
【００３０】
作業足場Ｓを形成する際は、公知のように、建枠Ｓ１を構築物の外面に沿って複数組が等間隔で横方向に並列して組み付け、この複数の建枠Ｓ１の上端、つまり、横架材間に足場板Ｓ２を架け渡して行うものである。
縦支柱１は、多くの場合に金属製の丸パイプからなり、したがって、図１に示すところでも、縦支柱１は、金属製の丸パイプからなるが、本発明の意図するところからすれば、縦支柱１が丸パイプ以外のパイプ体からなることを妨げず、また、パイプ体からなるのに代えて中実体からなることを妨げない。
【００３１】
なお、作業足場Ｓを形成する枠組足場にあっては、図１中に示すように、左右の縦支柱１に専用の斜め材たるブレースＳ３を架け渡して、作業足場Ｓにおける面方向、つまり、外側面および内側面における面方向への変形を阻止する。
【００３２】
パネル２は、上記したように、正面視で左右の一対となりそれぞれが縦支柱１に沿う縦方向の側枠２１、２１と、この左右の側枠２１、２１の上端にこの上端をつなぐように設けられる上枠２２と、左右の側枠２１、２１の下端にこの下端をつなぐように設けられる下枠２３とを備え、側枠２１、２１と、上枠２２および下枠２３は、内側に防音用、防塵用、防雨用、防風用のパネル本体２４を保持している。
【００３３】
パネル２における縦横寸法、つまり、正面視における縦横寸法については、基本的には、任意に設定されて良いが、左右の縦支柱１間に組付けされること、および、作業員によるパネル２の取り扱いを容易にするなどの観点から、たとえば、縦支柱１の軸長さの半分の縦長さを備え、縦支柱１間の内法寸法に一致する横長さを備えているのが好ましい。
【００３４】
そして、例えば、上記一対の建枠Ｓ１、Ｓ１間の長さは、足場板Ｓ２の長さで決まるもので、多くの場合に足場板Ｓ２における長さ寸法が約１８００ｍｍとされ、建枠Ｓにおける縦方向の軸長さが約１７００ｍｍとされるので、図示するパネル２における横長さは、概ね約１８００ｍｍからパイプ径を差し引いた寸法になり、また、縦寸法は、概ね約１７００ｍｍの半分になる。
【００３５】
なお、パネル２は、一枚の板状に形成しても良く、縦方向あるいは横方向に折り畳み可能に形成されるようにしても良い。
パネル２は左右の縦支柱１の間に組付けされるから、図３、図７、図８に示すように、側枠２１、２１の縦支柱１に対向する側面に隙間塞ぎ用の側部側シール部材２１ａを備え、パネル２における横長さ寸法は、上記のシール部材２１ａを含めた寸法になる。
【００３６】
また、上記したように、パネル２にあって、上枠２２の上面には、上記のシール部材２１ａと同様の上側シール部材２２ａを備えている。
下枠２３には、上側シール部材２１ａと同様のシール部材を設けても良く、設けなくても良い。
【００３７】
パネル２は、上記したように、上端の縦支柱１に対する水平方向、つまり、作業足場Ｓの外側面にあって水平方向の内外に振れることを阻止する振れ止め具３を備えている。
【００３８】
この振れ止め具３は、図７、図８に示すように、パネル２における上枠２２の上面端部にスライド自在に取付けたスライド板３１と、スライド板３１の先端に設けた二股状の係止片３２と、スライド板３１に軸方向に沿って形成した長孔３３と、同じく上記スライド板３１に軸方向に沿って形成した一対の先端側係止孔３７及び後端側係止孔３８と、上枠２２から起立して長孔３３内に挿入したガイドピン３４と、上枠２２に設けたバネ３９と、バネ３９に取付けられて先端側係止孔３７又は後端側係止孔３８に選択的に差し込まれるロックピン３６とで構成されている。
【００３９】
この場合、上枠２２と、下枠２３と、側枠２１とがそれぞれ中空な筒体で構成され、上枠２２の上壁２２ｂの下面に止めピン４０を介して板バネからなるバネ３９の基端が固定され、バネ３９が常時上記ロックピン３６を上方に附勢している。
【００４０】
なお、上記スライド板３１の上面に差し込み軸３５が起立され、下枠２３に上記差し込み軸３５に対応する位置に軸挿通孔２３ａが形成されている。
【００４１】
更に、上枠２２の上面に板状の上部シール部材２２ａを積層させ、側枠２１の側面に中空な筒状シール部材２１ａを積層させ、上部シール部材２２ａにスライド板３１をスライド自在に嵌合させるガイド溝４１を形成している。
上記の構造の揺れ止め具３を備えたパネル２によれば、ロックピン３６をバネ３９の附勢力に抗して治具で先端側係止孔３７の下方に押し込み、同時にスライド板３１を手動で縦支柱１方向に押し込むとスライド板３１が上記ガイドピン３４とガイド溝４１に案内されて水平にスライドし、先端の係止片３２が縦支柱１の外周に係合する。
しかも、係止片３２が縦支柱１に係合している時には、図７（Ｂ）、図８（Ｂ）に示すようにロックピン３６がバネ３９の附勢力で押し上げられて別の後端側係止孔３８に嵌合してスライド板３１をロックする。
その結果、係止片３２が縦支柱１の外周に係合した状態を維持でき、パネル２の水平方向への揺れを防止する。
その為、風圧等の外力がパネル２に作用して当該パネル２を振動させても縦支柱１から外れず地上へ落下が防止される。
他方、この状態から、ロックピン３６をバネ３９の附勢力に抗して治具で後端側係止孔３８の下方に押し込み、同時にスライド板３１を手動で縦支柱１から離れる方向に押し込むとスライド板３１が上記ガイドピン３４とスライド溝４１に案内されながら水平に後退してスライドし、先端の係止片３２が縦支柱１の外周からは外れる。
しかも、係止片３２が縦支柱１から外れている時には、図７（Ａ）、図８（Ａ）に示すようにロックピン３６がバネ３９の附勢力で押し上げられて先端側係止孔３７に嵌合してスライド板３１をロックする。
その結果、係止片３２が縦支柱１の外周に係合することは無く、パネル２を縦支柱１から外して撤去できる。
なお、上記揺れ止め具３はスライド板３１の上面に起立する差し込み軸３５を備えているので、図１に示すように、パネル２を複数上方に向けて配置する場合は、上段側のパネル２における下端の軸挿通孔２３ａに下段側のパネル２の差し込み軸３５を差し込み、上下のパネル２、２が正確に位置合わせされながら上下に重ねて配置できるようになっている。
【００４２】
そして、下方の差し込み軸３５が上方の軸挿通孔２３ａに挿通することで、上段のパネル２の下端が下段のパネル２の上端に対して作業足場Ｓの内外に向けて振れることを阻止し得ることになり、結果として、上下のパネル２が縦支柱１に連結しながら言わば一体的に連結する態勢になるとしている。
【００４３】
このことからすると、差し込み軸３５を挿し込み自在に挿通させる軸挿通孔２３ａが、たとえば、断面を逆Ｕ字状にするなどして開口が下を向く凹部に代えられるようにしても良い。
【００４４】
戻って、本発明のパネルの取付け装置では、図１および図２に示すように、縦支柱１間に組付けされる最下段のパネル２は、縦支柱１に分離可能に設けられる担持手段６によって担持されている。
【００４５】
この担持手段６は、図６に示すように、上方に向けて起立する挿し込み軸６１と、この挿し込み軸６１を保持するブラケット６２と、このブラケット６２を保持して縦支柱１に沿う支持部材６３と、この支持部材６３に保持されて縦支柱１への着脱を自在にする連結手段６４とを備えている。
【００４６】
そしてまた、この担持手段６は、支持部材６３が連結手段６４で縦支柱１に連結されるときに挿し込み軸６１が縦支柱１に沿って上方に向けて起立し、上方のパネル２、つまり、最下段のパネル２の下端、つまり、下枠２３に形成の軸挿通孔２３ａへの抜き挿し自在な挿通が可能とされるとしており、それゆえ、この挿し込み軸６１は、上記した差し込み軸３５と、特に、同径に形成されるのが好ましい。
【００４７】
なお、担持手段６において、ブラケット６２は、図示するところでは、挿し込み軸６１を溶接させる金属製の角パイプからなるとしているが、挿し込み軸６１の溶接を可能にし、挿し込み軸６１の起立を可能にする限りには、金属製のアングル材で形成されるとしても良く、この場合には、図示するところに比較して、挿し込み軸６１の軸長さを短くすることが可能になると共に、担持手段６自体の重量の軽減も可能になる点で有利になる。
【００４８】
また、支持部材６３は、図示するとことでは、角パイプ状に形成されたソケットからなるが、上記のブラッケト６２を安定的に保持し、縦支柱１への連結の妨げとならない限りには、その他の任意の形状に形成されて良い。
【００４９】
そして、連結手段６４は、周知の構造のクランプからなり、図示する実施形態では、上下に複数設けられるとしているが、縦支柱１に対する定着強度が保障される限りには、単一とされても良く、また、逆に個数が増えるとしても良い。
【００５０】
なお、上記の担持手段６にあっては、これが一の縦支柱１に連結されて、図示するところでは、縦支柱１を挟むように左右に組付けされる二つのパネル２を担持するので、挿し込み軸６１およびブラケット６２がいわゆる左右の一対に設けられる設定としているが、担持手段６がパネル２を担持するとの観点からすれば、挿し込み軸６１およびブラケット６２が一対にならない設定とされても良いのはもちろんである。
【００５１】
本発明のパネル取付け装置は、以上のように構成されているが、図１に示すように、複数のパネル２を縦支柱１、１間に組み付ける作業は、以下のようになる。
【００５２】
先ず、最下段のパネル２を左右の縦支柱１間に組付けし、この最下段のパネル２に上方から上方のパネル２を重ね、この上方のパネル２にさらに上方のパネル２を重ねる作業を繰り返す。
【００５３】
最下段のパネル２を左右の縦支柱１の間に組付けするについては、左右の縦支柱１の言わば下端部あるいは中間部に担持手段６を連結し、この縦支柱１に連結された担持手段６の挿し込み軸６１を最下段のパネル２下端に形成の軸挿通孔２３ａに挿通させるようにパネル２を下し、パネル２を担持手段６に担持させた状態で、たとえば、作業員が手を添えるなどして、左右の縦支柱１の間に起立状態に維持する。
【００５４】
そして、この左右の縦支柱１の間に言わば仮止め状態に起立するパネル２の上端に設けられている振れ止め具３を上記のように作動させ、スライド板３１における先端の係止片３２を縦支柱１に係合させる。
【００５５】
この状態で、最下段のパネル２が左右の縦支柱１の間に組付けされた状態になる。
【００５６】
さらに、この縦支柱１の間に組付けされた最下段のパネル２に上方のパネル２を連結する際には、下方のパネル２の差し込み軸３５が上方を向いて起立しているので、この起立する差し込み軸３５を上方から降りてくる上方のパネル２の下端に形成の軸挿通孔２３ａに挿通させて、下方のパネル２に上方のパネルを重ねる。
【００５７】
そして、この下方のパネル２に重ねた上方のパネル２も、振れ止め具３を介して縦支柱１に係合させて、上方のパネル２を縦支柱１に連結する。
【００５８】
以上の作業を繰り返して、左右の縦支柱１の間に複数のパネル２を下方から順次重ねるが、このとき、最下段のパネル２を除く上方のパネル２は、上端に備える振れ止め具３によって縦支柱１に連結するから、パネル２を縦支柱１に連結するための連結具を準備したり、連結具を縦支柱１に連結したりする作業が不要になり、パネル２の縦支柱１への連結を迅速に実行し得ることになる。
【００５９】
また、左右の縦支柱１の間にパネル２を組付けする作業の際に、一の縦支柱１を挟むようにして組付けする隣のパネル２については、一のパネル２を左右の縦支柱１の間に組付けする作業と同期して実行する必要がなく、作業員は、言わば一人で所定の作業を実行でき、また、続行できることになり、これまた、パネル２の縦支柱１への連結を迅速に実行し得ることになる。
【符号の説明】
【００６０】
１  縦支柱
２  パネル
３  揺れ止め具
６  担持手段
２１  側枠
２１ａ  シール部材
２２  上枠
２２ａ  上部シール部材
２３  下枠
２３ａ  軸挿通孔
２３  パネル本体
３１  スライド板
３２  係止片
３３  長孔
３４  ガイドピン
３５  差し込み軸
３６  ロックピン
３７  先端側係止孔
３９  バネ
４０止めピン
４１ガイド溝
【図１】
2019011604.tif 000003
【図２】
2019011604.tif 000004
【図３】
2019011604.tif 000005
【図４】
2019011604.tif 000006
【図５】
2019011604.tif 000007
【図６】
2019011604.tif 000008
【図７】
2019011604.tif 000009
【図８】
2019011604.tif 000010